(57)【要約】  強固で簡単な組付け構造を有し、安定的に緩衝機能を発揮させるバッグの緩衝具を提供する。  バッグの緩衝具１０は、ケース１２と、突縁部２２を有し、ケース１２内の軸方向の一方側に配置される支持部材２０と、ケース１２の軸方向に変位自在となるように支持部材２０に挿嵌され、その軸方向の一端側がバッグに取付けられる案内ロッド２４と、案内ロッド２４の周囲に配置される圧縮コイルばね３０と、案内ロッド２４の軸方向の他端側に着脱自在に取付けられ、ケース１２および案内ロッド２４が互いに離れる方向に相対的に変位したとき、圧縮コイルばね３０を支持部材２０側に圧縮する押圧部３２と、ケース１２内の軸方向の他方側に、咬合部４２で支持されるように配置され、バッグに取付けられる連結部４０とを含み、支持部材２０は、圧縮コイルばね３０の圧縮方向に配置される。
2017022036.tif 000002
【特許請求の範囲】
【請求項１】
バッグ本体、および、前記バッグ本体に設けられ、前記バッグ本体を持ち運ぶのに用いられるハンドルおよび／またはショルダーベルトを含むバッグに用いられる、バッグの緩衝具であって、
筒状のケース、
外周面に突縁部を有し、前記ケース内の軸方向の一方側に組み付けられる筒状の支持部材、
前記ケースの軸方向に変位自在となるように前記支持部材に挿嵌され、その軸方向の一端側が前記バッグに直接または間接に取り付けられる案内ロッド、
前記案内ロッドの軸方向に沿って前記案内ロッドの周囲に配置され、コイル中心線の長さ方向に圧縮荷重を受けるコイルばね、
前記案内ロッドの軸方向の他端側に配設され、前記ケースおよび前記案内ロッドが互いに離れる方向に相対的に変位したときに、前記コイルばねを前記支持部材側に圧縮する押圧部、および
前記ケースの軸方向の他方側に、咬合部により支持されるように組み付けられ、前記バッグに直接または間接に取り付けられる連結部を含み、
前記支持部材は、前記案内ロッドの軸方向でみて、前記コイルばねの圧縮方向に配置されていることを特徴とする、バッグの緩衝具。
【請求項２】
前記ケースは、間隔を隔てて横並びに配置される複数の収納部を含み、
前記支持部材は、間隔を隔てて横並びに配置され、外周面に突縁部を有する筒状の複数の支持部材、および、前記複数の支持部材の外周面の前記突縁部を連接する支持部材連接部を含み、
前記案内ロッドは、前記複数の収納部に組み付けられ、間隔を隔てて横並びに配置される複数の直線状の案内ロッド、および、前記複数の案内ロッドの軸方向の一端部を連接し、前記ケースの軸方向の一端側から露出するロッド連接部を含み、
前記コイルばねは、前記案内ロッドの軸方向に沿って前記案内ロッドの周囲に配置され、コイル中心線の長さ方向に圧縮荷重を受ける複数のコイルばねを含み、
前記押圧部は、前記複数のコイルばねを複数の前記支持部材側に圧縮する複数の押圧部を含むことを特徴とする、請求項１に記載のバッグの緩衝具。
【請求項３】
前記ケースは、
前記ケースの軸方向の中間部の一方側から他方側にかけて配設され、前記案内ロッドの軸方向の他端から中間部に至る部位と、前記支持部材の軸方向の一端から中間部に至る部位と、前記コイルばねの長さ方向の一端から他端に至る部位と、前記押圧部とが収納される収納部、
前記支持部材の少なくとも軸方向の中間部が嵌合される嵌合凹部、および
前記支持部材の突縁部が係止される係止凹部を含み、
前記収納部と前記嵌合凹部と前記係止凹部とは連通され、
前記コイルばねは、前記ケースの軸方向にみて、前記押圧部と、前記収納部および前記嵌合凹部の境界部との間に配置されることを特徴とする、請求項１または請求項２に記載のバッグの緩衝具。
【請求項４】
前記押圧部は、
前記コイルばねの長さ方向の一端部に対向して、前記案内ロッドの軸方向の他端部に着脱自在に配置されるリング部材、および
前記案内ロッドの軸方向の他端部に締結される締結部材を含み、
前記ケースおよび前記案内ロッドが互いに離れる方向に相対的に変位したときに、前記締結部材は、前記リング部材を介して前記コイルばねを圧縮することを特徴とする、請求項１〜請求項３のいずれか１項に記載のバッグの緩衝具。
【請求項５】
前記案内ロッドは、当該案内ロッドの軸方向の一端部に、前記ケースの軸方向の一端側から露出する取付部を含むことを特徴とする、請求項１〜請求項４のいずれか１項に記載のバッグの緩衝具。
【請求項６】
前記咬合部は、
前記ケース内の軸方向の他端側で、前記ケースの軸中心線と直交する方向に配設される複数の咬合凹凸部が互いに咬合して形成され、前記ケース内の軸方向に間隔を隔てて一列以上配列される咬合列、および
前記咬合列の内、前記ケース内の軸方向の他端側に最も近い位置に配置される外側咬合列の近傍で、前記ケースの軸方向にみて前記ケースの内側寄りの位置に配設され、前記連結部が係着される係着部を含み、
前記連結部は、前記係着部に係着されると共に、前記外側咬合列により支持されることを特徴とする、請求項１〜請求項５のいずれか１項に記載のバッグの緩衝具。
【請求項７】
前記ケースは、当該ケースの軸中心線に沿って分割した略同一形状の２つの半体を突き合わせて接合した一体構造を有することを特徴とする、請求項１〜請求項６のいずれか１項に記載のバッグの緩衝具。
【請求項８】
ゴルフクラブが出し入れされる口部を有するゴルフバッグ本体、および、前記ゴルフバッグ本体に設けられ、前記ゴルフバッグ本体を持ち運ぶのに用いられるハンドルおよび／またはショルダーベルトを含む、ゴルフバッグに用いられる、ゴルフバッグの緩衝具であって、
筒状のケース、
外周面に突縁部を有し、前記ケース内の軸方向の一方側に組み付けられる筒状の支持部材、
前記ケースの軸方向に変位自在となるように前記支持部材に挿嵌され、その軸方向の一端側が前記バッグに直接または間接に取り付けられる案内ロッド、
前記案内ロッドの軸方向に沿って前記案内ロッドの周囲に配置され、コイル中心線の長さ方向に圧縮荷重を受けるコイルばね、
前記案内ロッドの軸方向の他端側に配設され、前記ケースおよび前記案内ロッドが互いに離れる方向に相対的に変位したときに、前記コイルばねを前記支持部材側に圧縮する押圧部、および
前記ケースの軸方向の他方側に、咬合部により支持されるように組み付けられ、前記バッグに直接または間接に取り付けられる連結部を含み、
前記支持部材は、前記案内ロッドの軸方向でみて、前記コイルばねの圧縮方向に配置され、
前記連結部は、前記ゴルフバッグの口部または前記口部近傍に直接または間接に着脱自在に取り付けられ、前記ゴルフバッグ本体を自立させた状態で所望する場所に配置することを支援することを特徴とする、ゴルフバッグの緩衝具。
【請求項９】
前記ゴルフバッグは、
その一端が前記ゴルフバッグ本体の高さ方向の中間部に取り付けられ、その他端が前記ゴルフバッグの口部または前記口部近傍に着脱自在に取り付け可能となるショルダーベルトを含むゴルフバッグであって、
前記ゴルフバッグの緩衝具は、前記連結部が、前記ゴルフバッグの口部またはその近傍に着脱自在に取り付けられ、前記案内ロッドの軸方向の一端側が、前記ショルダーベルトの他端に着脱自在に取り付けられることを特徴とする、請求項８に記載のゴルフバッグの緩衝具。
【請求項１０】
長さ方向を有し、バッグに取り付けられるショルダーベルトであって、
前記ショルダーベルトは、前記ショルダーベルトの長さ方向の一端部および／または他端部に連結される緩衝具を含み、
前記緩衝具は、
筒状のケース、
外周面に突縁部を有し、前記ケース内の軸方向の一方側に組み付けられる筒状の支持部材、
前記ケースの軸方向に変位自在となるように前記支持部材に挿嵌され、その軸方向の一端側に前記ケースから露出した取付部を有する案内ロッド、
前記案内ロッドの軸方向に沿って前記案内ロッドの周囲に配置され、コイル中心線の長さ方向に圧縮荷重を受けるコイルばね、
前記案内ロッドの軸方向の他端側に配設され、前記ケースおよび前記案内ロッドが互いに離れる方向に相対的に変位したときに、前記コイルばねを前記支持部材側に圧縮する押圧部、および
前記ケースの軸方向の他方側に、咬合部により支持されるように組み付けられる連結部を含み、
前記支持部材は、前記案内ロッドの軸方向でみて、前記コイルばねの圧縮方向に配置され、
前記案内ロッドの取付部または前記連結部は、前記ショルダーベルトの長さ方向の一端部および／または他端部に、直接または間接に取り付けられることを特徴とする、ショルダーベルト。
【発明の詳細な説明】
【技術分野】
【０００１】
本発明は、バッグの緩衝具に関し、手提げタイプ、肩掛けタイプ、背負いタイプおよびそれらを２つ以上兼用するタイプのバッグに適用され、使用者の手、腕、肩、背中への負担を軽減するバッグの緩衝具であって、特に、ショルダーベルト、皮紐、バンド等で肩に掛ける形態とすることが可能で且つ比較的重量のある物が収納され得る各種バッグ、例えば、ゴルフバッグ、ボストンバッグ、トランク、旅行用バスケット、スポーツバッグ、リュックサック、ビジネスバッグ、スーツケース、道具袋、買物袋、その他の種々のバッグに適用されてより一層好適なバッグの緩衝具に関する。
【背景技術】
【０００２】
本発明の背景となる従来のゴルフバッグには、例えばゴルフバッグ本体の上端部に一端が固定され、他端がゴルフバッグ本体の中間部まで延長されて固定され、全長にわたってタイトに固定される取っ手を備えたものがある（例えば、特許文献１参照。）。
この取っ手は、特に、肩ベルトが掛けられるゴルフバッグの上端部の上部リングに一端部が固定され、肩ベルトの他端部が掛けられるゴルフバッグの中間部の下部リングに他端部が固定されて、ゴルフバッグの重量中心の移動に応じて把持位置の移動が可能なものとなっている。そのため、ゴルフバッグの重量中心と把持位置とは、共通の垂直線上に位置して回転モーメントが発生しないか小さいものとなり、ゴルフバッグの重量のみが掛かるので、ゴルフバッグを容易に持ち運べるものとなっている。
また、この取っ手には、縦方向に多数の固定溝または固定リングが離隔形成され、この固定溝または固定リングにより、ゴルフバッグの重量中心に応じて、当該重量中心に近接した位置に、肩ベルトの固定位置を調整することができるものとなっている。そのため、肩ベルトを肩に掛けたときに、バランスよくゴルフバッグを担いで、より容易にゴルフバッグを持ち運べるものとなっている。
【先行技術文献】
【特許文献】
【０００３】
【特許文献１】特開平１１−１１４１１６号公報
【発明の概要】
【発明が解決しようとする課題】
【０００４】
ところが、このような従来のゴルフバッグでは、上記したように、それを持ち運ぶ際には便利なものとなっているものの、１０数本のゴルフクラブ、ゴルフボール、ゴルフ用靴等のゴルフ用品が収納されたゴルフバッグは、その重量が１０数Ｋｇ〜２０数Ｋｇの重量物となるため、例えば、ゴルフバッグを持ち運んでいるときの状態から、ゴルフバッグを所望の場所に自立させた状態に配置する場合、使用者に大きな負担を掛けるものとなっていた。【０００５】
すなわち、この従来のゴルフバッグでは、一方の手で取っ手を把持した状態から、ゴルフバッグを自立させる場合、例えば、把持している手でゴルフバッグを持ち上げながら、もう一方の手でゴルフバッグの高さ方向の中間部を抱えるようにして引き起こした後、ゴルフバッグを自立させる動作が必要となる。また、肩ベルトを肩に掛けた状態から、ゴルフバッグを自立させる場合、例えば、一旦、一方の手で取っ手を把持すると共に、もう一方の手で上部リング側の肩ベルトの部位を把持した後、ゴルフバッグを自立させる動作が必要となる。前者の場合および後者の場合の両方とも、一連の動作をスムーズに行なうことは困難であると共に、一連の動作に起因して、使用者に対しては、大きな負担を掛けるものとなっていた。【０００６】
ところで、この従来のゴルフバッグにおいて、上記したように、取っ手を把持した状態ないし肩ベルトを肩に掛けた状態から、当該ゴルフバッグを自立させる場合に、例えば、取っ手の把持位置および肩ベルトの肩掛け位置を変更し、ゴルフバッグの重量中心の位置と、取っ手の把持位置ないし肩ベルトの肩掛け位置とが垂直線上で一致しないように偏移させ、当該ゴルフバッグを回転させることにより、ゴルフバッグを自立させることが考えられる。つまり、取っ手の把持位置または肩ベルトの肩掛け位置を中心にして発生する回転モーメントを利用することにより、ゴルフバッグを自立させる方向に回転させて床面や地面に立て置くようにするものである。【０００７】
ところが、ゴルフバッグを自立させる方向に回転させるとき、回転モーメントの力が付加されたゴルフバッグの総重量は、大きな荷重となって、瞬間的に使用者の手首、腕、肘、肩、背中、腰、膝等に作用し、相当の負担が掛かるものとなっていた。この場合、ゴルフバッグの収納物の重量が大きくなればなるほど、ゴルフバッグの総重量も大きくなって、前記回転モーメントもさらに大きいものとなるので、瞬間的に使用者に掛かる荷重も大きいものとなる。したがって、使用者に対しては、より一層、大きな負担を掛けるものとなっていた。【０００８】
一方で、このような従来のゴルフバッグでは、自立させた状態から、それを持ち運ぶために、その場で瞬時に、取っ手を把持してゴルフバッグを持ち上げる場合、あるいは、肩ベルトを肩に掛けてゴルフバッグを担ぎ上げたりする場合、さらに、肩ベルトを担いだ状態で、階段やゴルフ場の起伏のある場所を歩行する場合に、使用者の手首、腕、肩、背中、腰、肘、膝等に大きな動荷重（衝撃荷重および繰返し荷重）を掛けるものとなり、これまた、使用者に大きな負担を強いるものであった。【０００９】
そこで、本発明の発明者は、上記したような問題点を解消するために、例えば、その一端部がゴルフバッグの上端部の上部リングに係止され、且つ、その他端部がゴルフバッグの中間部の下部リングに係止された肩ベルトにおいて、当該上部リングと肩ベルトの一端部との間に、図２９に示す緩衝具１を配設することを考案した。【００１０】
すなわち、この緩衝具１は、たとえば図２６の（Ａ），（Ｂ），（Ｃ）に示すように、円筒状のケース２を含み、ケース２の軸方向の一端側および他端側には、それぞれ、カバー３ａおよび３ｂが形成される。カバー３ａ，３ｂは、その略中央に貫通孔４ａ，４ｂを有する。ケース２とカバー３ａ，３ｂとの接続部は、例えば、インサート成形によってねじ式の接続構造を有する。ケース２の中には、緩衝体として、長さ方向を有する引張コイルばね５が収納される。この引張コイルばね５は、一定の内径で複数巻回したばね鋼線材同士を密着させる方向に力が作用する弾性部材である。また、引張コイルばね５の長さ方向の両側の端末部には、フック状に加工された一対のフック部５ａ，５ｂが形成される。【００１１】
さらに、一対のフック部５ａ，５ｂには、リードバー６ａ，６ｂが係着される。リードバー６ａ，６ｂは、その軸方向の両側に長孔７，７を有する。一対のフック部５ａ，５ｂは、それぞれ、リードバー６ａ，６ｂの軸方向の一方側の長孔７，７に係着される。リードバー６ａ，６ｂの軸方向の他方側の長孔７，７は、それぞれ、カバー３ａ，３ｂの外側に露出されるように、リードバー６ａ，６ｂの軸方向の他端側が、カバー３ａ，３ｂの貫通孔４ａ，４ｂに挿通される。また、カバー３ａ，３ｂの外側に露出されたリードバー６ａ，６ｂの長孔７，７には、それぞれ、二重リング等の連結環８ａ，８ｂが取着される。【００１２】
この緩衝具１は、一方の連結環８ａが当該ゴルフバッグの上部リングに取着され、他方の連結環８ｂが肩ベルトの一端部に取着されることによって、ゴルフバッグの肩ベルトに取り付けられる。このゴルフバッグでは、肩ベルトに配設した緩衝具１の緩衝作用によって、ゴルフバッグの重量による動荷重は緩和され、使用者の手首、腕、肩、背中、腰、肘、膝等に掛かる負担が軽減される。【００１３】
しかしながら、この緩衝具１では、緩衝体として、引張コイルばね５が形成され、この引張コイルばね５の両端末部には、ばね鋼線材の端部を加工して係着用のフック部５ａ，５ｂが形成され、フック部５ａ，５ｂの形成には急激な形状変化を伴うものとなっている。そのため、緩衝具１に大きな動荷重（衝撃荷重および繰返し荷重）が作用したとき、フック部５ａ，５ｂの根元部において応力集中による疲労破壊が発生してフック部５ａ，５ｂの根元部およびフック部５ａ，５ｂとリードバー６ａ，６ｂとの係着箇所が破損することがあり、延いては、当該破損時の衝撃によってカバー３ａ，３ｂも破損することがあった。したがって、この緩衝具１では、安定的に緩衝機能を発揮させることができず、その結果、当該緩衝具１がセットされたバッグを携行した場合、使用者の手、腕、肩、背中への負担を軽減することができない虞があった。【００１４】
また、この緩衝具１では、円筒状のケース２の中に、引張コイルばね５のフック部５ａ，５ｂとリードバー６ａ，６ｂとを係着させた状態で収納した後、ケース２とカバー３ａ，３ｂとをねじ接続し、さらに、リードバー６ａ，６ｂと連結環８ａ，８ｂとを取着することにより、当該緩衝具１が組付けられるため、複雑で且つ脆弱な組付け構造を有するものとなり、また、組付け作業にも手間が掛かるものとなっている。【００１５】
さらに、この緩衝具１では、引張コイルばね５のフック部５ａ，５ｂを、リードバー６ａ，６ｂおよび連結環８ａ，８ｂを介して、被取付体対象に取り付けられるので、ケース２内におけるフック部５ａ，５ｂおよびリードバー６ａ，６ｂの占有するスペースが長くなる上、一方で、引張コイルばね５の緩衝動作に関わる有効長を十分に確保し、緩衝機能を有効に発揮させるためには、当該引張コイルばね５の有効長を長くする必要があるので、どうしても、当該引張コイルばね５を組み込むスペースも長くなる。そのため、この緩衝具１では、ケース２の長さが長くなり、延いては、緩衝具１の全長も長くならざるを得ない。すなわち、この緩衝具１では、比較的長さの短いスペースに、十分に緩衝機能を発揮させるための有効長を確保しつつ、緩衝体を組み込むことが困難なものとなっていた。
したがって、この緩衝具１では、ゴルフバッグ以外にも、手提げタイプ、肩掛けタイプ、背負いタイプおよびそれらを２つ以上兼用するタイプのバッグ、例えば、ボストンバッグ、トランク、旅行用バスケット、スポーツバッグ、リュックサック、ビジネスバッグ、スーツケース、道具袋、買物袋などに採用するのには、不向きなものであった。【００１６】
それゆえに、本発明の主たる目的は、強固で簡単な組付け構造を有し、安定的に緩衝機能を発揮させることができる、バッグの緩衝具を提供することであり、他の目的は、比較的長さの短いコンパクトなバッグの緩衝具を提供することである。本発明のさらに他の目的は、使用者に負担をかけることなく、簡単にゴルフバッグを所望の場所に自立させた状態で配置するゴルフバッグの自立誘導具として用いることが可能なバッグの緩衝具を提供することである。
【課題を解決するための手段】
【００１７】
請求項１に係る本発明は、バッグ本体と、バッグ本体に設けられ、バッグ本体を持ち運ぶのに用いられるハンドルおよび／またはショルダーベルトとを含むバッグに用いられる、バッグの緩衝具であって、筒状のケースと、外周面に突縁部を有し、ケース内の軸方向の一方側に組み付けられる筒状の支持部材と、ケースの軸方向に変位自在となるように支持部材に挿嵌され、その軸方向の一端側がバッグに直接または間接に取り付けられる案内ロッドと、案内ロッドの軸方向に沿って案内ロッドの周囲に配置され、コイル中心線の長さ方向に圧縮荷重を受けるコイルばねと、案内ロッドの軸方向の他端側に配設され、ケースおよび案内ロッドが互いに離れる方向に相対的に変位したときに、コイルばねを支持部材側に圧縮する押圧部と、ケースの軸方向の他方側に、咬合部により支持されるように組み付けられ、バッグに直接または間接に取り付けられる連結部とを含み、支持部材は、案内ロッドの軸方向でみて、コイルばねの圧縮方向に配置されていることを特徴とする、バッグの緩衝具である。
請求項１に係る本発明によれば、上記した構成を有しているので、ハンドルおよび／またはショルダーベルトを介してバッグを持ち運ぶ際に、当該緩衝具の案内ロッドおよび連結部にバッグの荷重が作用すると、ケースの軸方向にみて、ケースおよび案内ロッドが互いに離れる方向に相対移動する。それによって、押圧部と支持部材とが互いに近づくように移動し、コイルばねは、支持部材側と押圧部との間で圧縮されてコイルばねのばね反力を生じる。このとき、バッグの動荷重による使用者の手首、腕、肘、肩、背中、腰、膝等への負担は、コイルばねの圧縮によるばね反力によって吸収され、緩和・軽減される。バッグは、コイルばねの圧縮に伴うばね反力に抗して動作するので、持ち運び動作が終了して、バッグのハンドルおよび／またはショルダーベルトに掛かっていた荷重が取り除かれると、ケースおよび案内ロッドが互いに近づく方向に相対移動して初期状態に戻る。つまり、バッグはハンドルおよび／またはショルダーベルトを介してバッグを持ち運ぶ前の静止状態に戻る。
案内ロッドは、支持部材の内周面に沿って案内され、スムーズにケースの軸方向に安定して変位するため、軸心に対する横振れおよび振動が生じ難いものとなっている。さらに、コイルばねは、支持部材の外周面に沿って圧縮するため、コイル中心線に対する横振れおよび振動が生じ難いものとなり、その結果、コイルばねが案内ロッドに当接して擦れることを防止し、また、コイルばねが圧縮されたときの座屈も防止することが可能となり、コイルばねを保護するものとなっている。
すなわち、支持部材は、案内ロッドおよびコイルばねの横振れおよび振動を規制して、当該案内ロッドおよびコイルばねを保護する機能を有するものとなっている。また、コイルばねの圧縮による当該コイルばねと案内ロッドとの摩擦抵抗も少なくなるため、コイルばねは、円滑に圧縮されるものとなっている。
一方、連結部は、咬合部によって支持されるように、ケースの軸方向の他方側に組み付けられているので、強固に組み付けられ、ケースから抜け出難いものとなっている。そのため、ハンドルおよび／またはショルダーベルトを介してバッグを持ち運ぶ際に、当該緩衝具の案内ロッドおよび連結部にバッグの荷重が作用した場合でも、この連結部はバッグから外れ難いものとなっている。
請求項２に係る本発明は、請求項１に係る発明に従属する発明であって、ケースは、間隔を隔てて横並びに配置される複数の収納部を含み、支持部材は、間隔を隔てて横並びに配置され、外周面に突縁部を有する筒状の複数の支持部材と、複数の支持部材の外周面の突縁部を連接する支持部材連接部とを含み、案内ロッドは、複数の収納部に組み付けられ、間隔を隔てて横並びに配置される複数の直線状の案内ロッドと、複数の案内ロッドの軸方向の一端部を連接し、ケースの軸方向の一端側から露出するロッド連接部とを含み、コイルばねは、案内ロッドの軸方向に沿って案内ロッドの周囲に配置され、コイル中心線の長さ方向に圧縮荷重を受ける複数のコイルばねとを含み、押圧部は、複数のコイルばねを複数の支持部材側に圧縮する複数の押圧部を含むことを特徴とする、バッグの緩衝具である。
請求項２に係る本発明によれば、上記した構造を有しているので、特に、案内ロッド、コイルばね、押圧部の各部材を横並びに配列した状態で１つのケース内に収納して、所謂、ツインタイプのコンパクトな構成とすることが可能となっている。この場合、所定の長さを有する単一のコイルばねで得られる緩衝機能を、たとえば当該単一のコイルばねの長さの半分の長さを有する一対の２つのコイルばねと代替しても、当初の設定した緩衝機能を維持することが可能となる。
一方で、ゴルフバッグのように大形で比較的重量のあるバッグでは、有効長の長いコイルばねを採用することによりケースの長さが長くなってもあまり不都合は感じられないが、ビジネスバック等のように中形，小形で比較的重量も小さいバッグでは、必要以上の緩衝機能を得るために、ケースの長さが長くなることは、不具合を生じるものとなり、美観の点においても優れたものではない。
したがって、ツインタイプのコンパクトな構成とする請求項２に係る本発明によるバッグの緩衝具は、手提げタイプ、肩掛けタイプ、背負いタイプおよびそれらを２つ以上兼用するタイプの小形，中形のバッグに適用されて好適なものとなる。
請求項３に係る本発明は、請求項１または請求項２に係る発明に従属する発明であって、ケースは、ケースの軸方向の中間部の一方側から他方側にかけて配設され、案内ロッドの軸方向の他端から中間部に至る部位と、支持部材の軸方向の一端から中間部に至る部位と、コイルばねの長さ方向の一端から他端に至る部位と、押圧部とが収納される収納部と、支持部材の少なくとも軸方向の中間部が嵌合される嵌合凹部と、支持部材の突縁部が係止される係止凹部とを含み、収納部と嵌合凹部と係止凹部とは連通され、コイルばねは、ケースの軸方向にみて、押圧部と、収納部および嵌合凹部の境界部との間に、配置されることを特徴とする、バッグの緩衝具である。
請求項３に係る本発明によれば、上記した構成を有しているので、ケースおよび案内ロッドが互いに離れる方向に相対的に変位したときでも、支持部材は、その突縁部がケースの係止凹部に係止される。そのため、支持部材は、当該変位に連動して変位することが規制され、安定して位置決めされる。
請求項４に係る本発明は、請求項１〜請求項３のいずれか１項に係る発明に従属する発明であって、押圧部は、コイルばねの長さ方向の一端部に対向して、案内ロッドの軸方向の他端部に着脱自在に配置されるリング部材と、案内ロッドの軸方向の他端部に締結される締結部材とを含み、ケースおよび案内ロッドが互いに離れる方向に相対的に変位したときに、締結部材は、リング部材を介してコイルばねを圧縮することを特徴とする、バッグの緩衝具である。
請求項４に係る本発明によれば、上記した構成を有しているので、コイルばねは、その長さ方向の一端部がリング部材の面に当接され、その長さ方向の他端部がコイル中心線の長さ方向にみて、収納部と嵌合凹部との境界部の面に当接される。すなわち、コイルばねの長手方向の両側を面で安定して支持することが可能となるため、コイルばねを安定して案内ロッドの周囲に間隔を隔てて正確に位置決めして配置することが可能となっている。
請求項５に係る本発明は、請求項１〜請求項４のいずれか１項に係る発明に従属する発明であって、前記案内ロッドは、当該案内ロッドの軸方向の一端部に、前記ケースの軸方向の一端側から露出する取付部を含むことを特徴とする、バッグの緩衝具である。
請求項５に係る本発明によれば、上記した構成を有しているので、緩衝具と、バッグのバッグ本体および／またはショルダーベルトとの間に、取付部を直接または間接に取り付けることが可能となっている。
請求項６に係る本発明は、請求項１〜請求項５のいずれか１項に係る発明に従属する発明であって、咬合部は、ケース内の軸方向の他端側で、ケースの軸中心線と直交する方向に配設される複数の咬合凹凸部が互いに咬合して形成され、ケース内の軸方向に間隔を隔てて一列以上配列される咬合列と、咬合列の内、ケース内の軸方向の他端側に最も近い位置に配置される外側咬合列の近傍で、ケースの軸方向にみてケースの内側寄りの位置に配設され、連結部が係着される係着部とを含み、連結部は、係着部に係着されると共に、外側咬合列により支持されることを特徴とする、バッグの緩衝具である。
請求項６に係る本発明によれば、上記した構造を有しているので、ケースの軸方向の他端側は、咬合列において、互いに咬合する複数の咬合凹凸部の密接による摩擦抵抗により、強固な構造を有するものとなっている。また、連結部は、係着部により係着され、且つ、強固な咬合構造を有した咬合列の１つである外側咬合列によって支持されているため、より一層強固にケースに安定して保持されるものとなっている。
そのため、このバッグの緩衝具に大きな荷重が作用したとしても、不用意に連結部がケースから外れたり、それによるケースの破損を防止することが可能となっている。
請求項７に係る本発明は、請求項１〜請求項６のいずれか１項に係る発明に従属する発明であって、ケースは、当該ケースの軸中心線に沿って分割した略同一形状の２つの半体を突き合わせて接合した一体構造を有することを特徴とする、バッグの緩衝具である。
請求項７に係る本発明によれば、上記した構成を有するので、当該緩衝具を製造する際に、案内ロッド、ストッパ、コイルばね、押圧部（リング部材および締結部材）、連結部の各部材を容易にケース内に組み付けることが可能となり、２つの半体を突き合わせて超音波溶着等の方法により接合すれば、２つの半体を密封された状態で強固に一体化することが可能となる。そのため、ケース内の各部材の信頼性の向上も図れるものとなる。
請求項８に係る本発明は、ゴルフクラブが出し入れされる口部を有するゴルフバッグ本体と、ゴルフバッグ本体に設けられ、ゴルフバッグ本体を持ち運ぶのに用いられるハンドルおよび／またはショルダーベルトとを含む、ゴルフバッグに用いられる、ゴルフバッグの緩衝具であって、筒状のケースと、外周面に突縁部を有し、ケース内の軸方向の一方側に組み付けられる筒状の支持部材と、ケースの軸方向に変位自在となるように支持部材に挿嵌され、その軸方向の一端側がバッグに直接または間接に取り付けられる案内ロッドと、案内ロッドの軸方向に沿って案内ロッドの周囲に配置され、コイル中心線の長さ方向に圧縮荷重を受けるコイルばねと、案内ロッドの軸方向の他端側に配設され、ケースおよび案内ロッドが互いに離れる方向に相対的に変位したときに、コイルばねを支持部材側に圧縮する押圧部と、ケースの軸方向の他方側に、咬合部により支持されるように組み付けられ、バッグに直接または間接に取り付けられる連結部とを含み、支持部材は、案内ロッドの軸方向でみて、コイルばねの圧縮方向に配置され、連結部は、ゴルフバッグの口部または口部近傍に直接または間接に着脱自在に取り付けられ、ゴルフバッグ本体を自立させた状態で所望する場所に配置することを支援することを特徴とする、ゴルフバッグの緩衝具である。
請求項８に係る本発明によれば、上記した構成を有しているので、ゴルフバッグのハンドルを把持した状態ないしショルダーベルトを肩に掛けた状態から、当該ゴルフバッグを自立させる場合、使用者は、このゴルフバッグの緩衝具のケース部の外周面を把持し、当該緩衝具を中心にして、ゴルフバッグを自立させる方向に回転させることにより、ゴルフバッグを自立させることができる。このとき、回転するゴルフバッグの力学的支点となるゴルフバッグの緩衝具は、ゴルフバッグの口部または口部近傍、すなわち、ゴルフバッグの高さ方向の中央よりも上側に取り付けられているため、例えば、当該緩衝具をゴルフバッグの高さ方向の中央または中央よりも下側に取り付けられる場合に比べて、ゴルフバッグの下端部から、当該力学的支点となる緩衝具までの距離が長くなり、ゴルフバッグを自立させる方向に回転させるときの回転モーメントを大きくすることが可能となる。したがって、ゴルフバッグを比較的容易に回転させて、当該ゴルフバッグを所望する場所に簡単に自立させることができる。
一方で、従来のゴルフバッグ（例えば、特許文献１参照。）のように、回転モーメントの力が付加されることにより、ゴルフバッグの総重量が大きな荷重となって、瞬間的に、使用者に相当の負担が掛かることが危惧されるが、請求項８に係る本発明では、特に、ゴルフバッグの緩衝具が上記コイルばねを具備しているため、当該コイルばねの緩衝作用によって、瞬間的に使用者に掛かる動荷重（衝撃荷重および繰り返し荷重を含む。）を吸収して緩和させることが可能となっている。そのため、従来技術のように、当該動荷重による使用者の手首、肘、肩、腰、膝等に掛かる負担を大幅に軽減させることが可能となっている。すなわち、使用者に負担をかけることなく、簡単に、ゴルフバッグを所望の場所に自立させた状態で配置することができるものとなっている。
さらに、請求項８に係る本発明では、ゴルフバッグを自立させた状態から、それを持ち運ぶために、その場で瞬時に、ゴルフバッグのハンドルを把持してゴルフバッグを持ち上げる場合、ショルダーベルトを肩に掛けてゴルフバッグを持ち上げる場合、あるいは、ショルダーベルトを肩に掛けた状態で、階段やゴルフ場の起伏のある場所を歩行する場合においても、上記したと同様に、このゴルフバッグの緩衝具のコイルばねの緩衝作用によって、瞬間的に、使用者の手首、肩、腰、肘、膝等に掛かる大きな動荷重を緩和させ、使用者に掛かる負担を大幅に軽減させることが可能となっている。
また、請求項８に係る本発明では、使用者が、ゴルフバッグを持ち運んでいる状態からゴルフバッグを自立させる場合、あるいは、ゴルフバッグが自立して立て置かれた状態からゴルフバッグを持ち上げる場合、それらの動作は、このゴルフバッグの緩衝具のケース外周面（把持部）を把持することにより、当該緩衝具のケースの把持部を当該動作の基点とすることが可能となる。すなわち、このゴルフバッグの緩衝具は、ゴルフバッグの口部または当該口部近傍に着脱自在に取り付けられているので、前記した各動作の場合において、ゴルフバッグは、その口部が略上を向く態様となるように保持される。そのため、請求項８に係る本発明によれば、従来のゴルフバッグ（例えば、特許文献１参照。）のように、多数のゴルフクラブ等が収納されたゴルフバッグを持ち上げたときに、ゴルフバッグの口部からゴルフクラブが不意に飛び出るようなこともない。
さらに、請求項８に係る本発明では、連結部を、ゴルフバッグの口部または口部近傍に直接または間接に着脱自在に取り付けられることが可能となっているために、当該緩衝具をゴルフバッグの口部または当該口部近傍に後付けすることが自在となり、しかも、後付けする箇所の選定において、その自由度が高いものとなっている。
請求項９に係る本発明は、請求項８に係る発明に従属する発明であって、ゴルフバッグは、その一端がゴルフバッグ本体の高さ方向の中間部に取り付けられ、その他端がゴルフバッグの口部または口部近傍に着脱自在に取り付け可能となるショルダーベルトを含むゴルフバッグであって、ゴルフバッグの緩衝具は、連結部が、ゴルフバッグの口部またはその近傍に着脱自在に取り付けられ、案内ロッドの軸方向の一端側が、ショルダーベルトの他端に着脱自在に取り付けられることを特徴とする、ゴルフバッグの緩衝具である。
請求項９に係る本発明によれば、上記した構成を有しているので、請求項８に係る発明と同様の作用・効果を有するとともに、それに加えて、ショルダーベルトの他端とゴルフバッグの口部または当該口部近傍との間に、つまり、ショルダーベルトの上端に、適宜、このゴルフバッグの緩衝具を着脱自在に取り付けることが可能となっている。そのため、請求項９に係る本発明によれば、当該緩衝具とショルダーベルトとを、互いに近接した位置で且つ同一直線上に配置することが可能となり、例えば、ショルダーベルトを肩に掛けた状態から、この緩衝具のケースの外周面（把持部）を当該肩側の手で速やかに把持してゴルフバッグを容易に自立させることができる。
例えば、ショルダーベルトを肩に掛けてゴルフバッグを持ち運んでいる状態（ゴルフバッグ本体が床面ないし地面とほぼ平行ないし所定の傾きをもって横向きになっている状態、例えば、図８参照。）から下に降ろす場合、使用者は、一方の手でゴルフバッグのハンドルを把持するとともに、肩からショルダーベルトを外して、他方の手でこの緩衝具のケースの外周面（把持部）を把持することによって、緩衝具の把持部を力学的支点（回転中心）にして、ゴルフバッグ本体の下端側を容易に床面ないし地面に自立させる方向に回転させることが可能となる（例えば、図８、図９および図１０参照。）。このとき、ゴルフバッグ本体を自立させる方向に回転させるときの支点（回転中心）となる緩衝具の把持部は、ゴルフバッグ本体の高さ方向の中央よりも上側、つまり、ゴルフバッグ本体の口部または口部近傍に配置されるため、ゴルフバッグ本体の下端部および支点間の距離が長くなり、回転モーメントの大きさが大きくなる（例えば、図１１参照。）。したがって、ゴルフバッグ本体を容易に回転させて、床面や地面に素早く自立させることが可能となる。
また、請求項９に係る本発明によれば、使用者は、上述したように、ゴルフバッグのハンドルおよび緩衝具の協働作用により、ゴルフバッグ本体を簡単に自立させることが可能となっているが、例えば、ショルダーベルトを肩に掛けてゴルフバッグを持ち運んでいる状態（例えば、図８参照。）から下に降ろす場合、使用者は、肩からショルダーベルトを外して、一方の手で、このゴルフバッグの緩衝具のケースの外周面（把持部）を把持することによって、当該緩衝具の把持部を力学的支点（回転中心）にして、ゴルフバッグ本体の下端側を容易に床面ないし地面に自立させる方向に回転させることが可能となっている（例えば、図８および図１０参照。）。
上記した各発明において、案内ロッドは、その軸方向の一端側が、バッグ本体と、ハンドルおよび／またはショルダーベルトとの間で、ハンドルおよび／またはショルダーベルト側に、直接または間接に取り付けられるようにすることが好ましい。また、ケースの軸方向の他方側に、咬合部により支持されるように組み付けられる連結部は、バッグ本体と、ハンドルおよび／またはショルダーベルトとの間で、バッグ本体側に、直接または間接に取り付けられるようにすることが好ましい。
請求項１０に係る本発明は、長さ方向を有し、バッグに取り付けられるショルダーベルトであって、ショルダーベルトは、ショルダーベルトの長さ方向の一端部および／または他端部に連結される緩衝具を含み、緩衝具は、筒状のケースと、外周面に突縁部を有し、ケース内の軸方向の一方側に組み付けられる筒状の支持部材と、ケースの軸方向に変位自在となるように支持部材に挿嵌され、その軸方向の一端側にケースから露出した取付部を有する案内ロッドと、案内ロッドの軸方向に沿って案内ロッドの周囲に配置され、コイル中心線の長さ方向に圧縮荷重を受けるコイルばねと、案内ロッドの軸方向の他端側に配設され、ケースおよび案内ロッドが互いに離れる方向に相対的に変位したときに、コイルばねを支持部材側に圧縮する押圧部と、ケースの軸方向の他方側に、咬合部により支持されるように組み付けられる連結部とを含み、支持部材は、案内ロッドの軸方向でみて、コイルばねの圧縮方向に配置され、案内ロッドの取付部または連結部は、ショルダーベルトの長さ方向の一端部および／または他端部に、直接または間接に取り付けられることを特徴とする、ショルダーベルトである。
請求項１０に係る本発明によれば、上記した構成を有しているので、例えば、案内ロッドの取付部が、ショルダーベルトの長さ方向の一端部および／または他端部に、直接または間接に取り付けられ、連結部がバッグのバッグ本体に、直接または間接に取り付けられることによって、ショルダーベルトを肩に掛けてバッグを持ち運ぶことが可能となる。
そして、ショルダーベルトが取り付けられたバッグを持ち運ぶ場合に、当該緩衝具の案内ロッドおよび連結部にバッグの荷重が作用すると、ケースの軸方向にみて、ケースおよび案内ロッドが互いに離れる方向に相対移動する。それによって、押圧部と支持部材とが互いに近づくように移動し、コイルばねは、支持部材側と押圧部との間で圧縮されてコイルばねのばね反力を生じる。このとき、バッグの動荷重による使用者の手首、腕、肘、肩、背中、腰、膝等への負担は、コイルばねの圧縮によるばね反力によって吸収され、緩和・軽減される。バッグは、コイルばねの圧縮に伴うばね反力に抗して動作するので、持ち運び動作が終了して、ショルダーベルトに掛かっていたバッグの荷重が取り除かれると、ケースおよび案内ロッドが互いに近づく方向に相対移動して初期状態に戻る。つまり、ショルダーベルトを介してバッグを持ち運ぶ前の静止状態に戻る。
案内ロッドは、支持部材の内周面に沿って案内され、スムーズにケースの軸方向に安定して変位するため、軸心に対する横振れおよび振動が生じ難いものとなっている。さらに、コイルばねは、支持部材の外周面に沿って圧縮するため、コイル中心線に対する横振れおよび振動が生じ難いものとなり、その結果、コイルばねが案内ロッドに当接して擦れることを防止し、また、コイルばねが圧縮されたときの座屈も防止することが可能となり、コイルばねを保護するものとなっている。
すなわち、支持部材は、案内ロッドおよびコイルばねの横振れおよび振動を規制して、当該案内ロッドおよびコイルばねを保護する機能を有するものとなっている。また、コイルばねの圧縮による当該コイルばねと案内ロッドとの摩擦抵抗も少なくなるため、コイルばねは、円滑に圧縮されるものとなっている。
一方、連結部は、咬合部によって支持されるように、ケースの軸方向の他方側に組み付けられているので、強固に組み付けられ、ケースから抜け出難いものとなっている。そのため、ショルダーベルトを介してバッグを持ち運ぶ際に、当該緩衝具の案内ロッドおよび連結部にバッグの荷重が作用した場合でも、この連結部はバッグから外れ難いものとなっている。
なお、上記したショルダーベルトにおいて、連結部が、ショルダーベルトの長さ方向の一端部および／または他端部に、直接または間接に取り付けられ、案内ロッドの取付部がバッグのバッグ本体に、直接または間接に取り付けられることによって、ショルダーベルトを肩に掛けてバッグを持ち運ぶようにすることも可能である。
【発明の効果】
【００１８】
本発明によれば、強固で簡単な組付け構造を有し、安定的に緩衝機能を発揮させることができる、バッグの緩衝具を提供することができ、また、比較的長さの短いコンパクトなバッグの緩衝具を提供することである。さらに、本発明によれば、使用者に負担をかけることなく、簡単にゴルフバッグを所望の場所に自立させた状態で配置するゴルフバッグの自立誘導具として用いることが可能なバッグの緩衝具を提供することができる。【００１９】
本発明の上述の目的、その他の目的、特徴および利点は、図面を参照して行う以下の発明を実施するための形態の説明から一層明らかとなろう。
【図面の簡単な説明】
【００２０】
【図１】本発明に係るバッグの緩衝具の実施の形態の一例を示す図であって、図１（Ａ）は正面図であり、図１（Ｂ）は平面図である。
【図２】図１（Ａ）の線Ａ−Ａにおける断面図である。
【図３】図１（Ａ）および図１（Ｂ）に示す緩衝具の分解斜視図である。
【図４】図１（Ａ）および図１（Ｂ）に示す緩衝具のケースの２つの半体を示す図であって、図４（Ａ）は一方の半体の平面図であり、図４（Ｂ）は他方の半体を示す平面図であり、図４（Ｃ）は一方および他方の半体の正面図である。
【図５】図４（Ａ）および図４（Ｂ）に示す緩衝具の組み付け構造を示す図であって、図５（Ａ）は、一方の半体に、主として、案内ロッド、支持部材、圧縮コイルばね、押圧部（リング部材，締結部材）および連結部を組み付けた状態を示す平面図であり、図５（Ｂ）は、案内ロッド、締結部材および連結部の配置を説明するための説明図であり、図５（Ｃ）は、支持部材、圧縮コイルばね、押圧部（リング部材，締結部材）の配置を説明するための説明図である。
【図６】図１（Ａ）および図１（Ｂ）に示す緩衝具において、荷重が作用したときのコイルばねの圧縮状態を示す平面図である。
【図７】図１（Ａ）および図１（Ｂ）に示す緩衝具の使用状態の一例を示す図であって、特に、この緩衝具をゴルフバッグに取り付けた状態の一例を示す斜視図である。
【図８】図７に示すゴルフバッグを肩に掛けて持ち運ぶときの状態の一例を示す斜視図である。
【図９】図８に示した状態から、ゴルフバッグを所望する場所に自立させるときの緩衝具の使用状態の一例を示す斜視図である。
【図１０】図８に示した状態から、ゴルフバッグを所望する場所に自立させるときの緩衝具の使用状態の他の例を示す斜視図解図である。
【図１１】図１（Ａ）および図１（Ｂ）に示す緩衝具を用いてゴルフバッグを自立させるときの作用を説明するための概念図である。
【図１２】図１（Ａ）および図１（Ｂ）に示す緩衝具を用いていないときの緩衝効果を調べる実験の一例を示す説明図である。
【図１３】図１（Ａ）および図１（Ｂ）に示す緩衝具を用いたときの緩衝効果を調べる実験の一例を示す説明図である。
【図１４】図１２および図１３に示す荷重試験機によって、図１（Ａ）および図１（Ｂ）に示す緩衝具に、９８Ｎ（１０Ｋｇｆ）の荷重を掛けたときの緩衝効果と、緩衝具を用いていないときの緩衝効果とを示すグラフである。
【図１５】図１２および図１３に示す荷重試験機によって、図１（Ａ）および図１（Ｂ）に示す緩衝具に、１９６Ｎ（２０Ｋｇｆ）の荷重を掛けたときの緩衝効果と、緩衝具を用いていないときの緩衝効果とを示すグラフである。
【図１６】本発明に係るバッグの緩衝具の実施の形態の他の例を示す図であって、特に、その内部構造を示す要部平面図である。
【図１７】図１６に示す緩衝具において、荷重が作用したときの圧縮コイルばねの圧縮状態を示す要部平面図である。
【図１８】本発明に係るバッグの緩衝具の実施の形態のさらに他の例を示す要部分解斜視図である。
【図１９】図１（Ａ）および図１（Ｂ）に示す緩衝具の使用状態の他の例を示す図であって、特に、この緩衝具をビジネスバッグに取り付けた状態の一例を示す斜視図である。
【図２０】本発明に係るバッグの緩衝具の実施の形態のさらに他の例を示す図であって、図２０（Ａ）は正面図であり、図２０（Ｂ）は内部構造を示す要部平面図である。
【図２１】図２０（Ａ）および図２０（Ｂ）に示すバッグの緩衝具の分解斜視図である。
【図２２】図２０（Ａ）および図２０（Ｂ）に示すバッグの緩衝具の主として、案内ロッド、支持部材、圧縮コイルばね、押圧部（リング部材，締結部材）の配置を説明するための分解斜視図である。
【図２３】図２０（Ａ），２０（Ｂ）および図２１に示す緩衝具において、荷重が作用したときの圧縮コイルばねの圧縮状態を示す要部平面図である。
【図２４】図２０（Ａ），２０（Ｂ）および図２１に示す緩衝具の使用状態の他の例を示す図であって、図２４（Ａ）は、緩衝具をボストンバッグに取り付けた状態の一例を示す斜視図であり、図２４（Ｂ）は、緩衝具の斜視図である。
【図２５】図２０（Ａ），２０（Ｂ）および図２１に示す緩衝具の使用状態のさらに他の例を示す図であって、図２５（Ａ）は、緩衝具をショルダーバッグに取り付けた状態の一例を示す斜視図であり、図２５（Ｂ）は、緩衝具の斜視図である。
【図２６】本発明の背景となるバッグの緩衝具の一例を示す図であって、図２６（Ａ）は、その斜視図であり、図２６（Ｂ）は、その一部切り欠き斜視図であり、図２６（Ｃ）は、この緩衝具に荷重が作用し、引張りコイルばねが引張り方向に引っ張られた状態を示す一部切り欠き斜視図である。
【発明を実施するための形態】
【００２１】
図１は、本発明に係るバッグの緩衝具の実施の形態の一例を示す図であって、図１（Ａ）は正面図であり、図１（Ｂ）は平面図である。図２は、図１（Ａ）の線Ａ−Ａにおける断面図である。図３は、図１（Ａ）および図１（Ｂ）に示す緩衝具の分解斜視図である。図４は、図１（Ａ）および図１（Ｂ）に示す緩衝具のケースの２つの半体を示す図であって、図３（Ａ）は一方の半体の平面図であり、図３（Ｂ）は他方の半体を示す平面図であり、図３（Ｃ）は一方および他方の半体の正面図である。
この実施の形態に係るバッグの緩衝具は、バッグ本体と、バッグ本体に設けられ、バッグ本体を持ち運ぶのに用いられるハンドルおよび／またはショルダーベルトとを含むバッグに用いられる、バッグの緩衝具である。このバッグの緩衝具の構造について、添付の図面を参照しながら、以下、詳細に説明する。
【００２２】
この実施の形態に係るバッグの緩衝具１０は、図１〜図４に示すように、たとえばＴＲＰ（サーモプラスチックラバー）等の弾性材料で形成された円筒状のケース１２を含む。このケース１２は、ケース１２の軸中心線に沿って分割した、略同一形状の一対の２つの半体１２Ａ，１２Ｂを突き合わせて接合した一体構造を有するものである。ケース１２の胴部１４の外周面には、把持部としての役割を担う被覆部１６が形成されている。以下の説明では、被覆部１６を便宜上「把持部１６」と読み替えることにする。
この把持部１６の外表面には、間隔を隔てて多数の突起部１８が配設されている。多数の突起部１８は、シボ加工等により形成されている。そのため、この把持部１６を使用者が把持した場合、当該把持部１６の材質面の点で、手にフィットして持ち易く、且つ、当該把持部１６の突起部１８が形成されている点で、滑り止め機能を有するものとなっている。なお、ケース１２は、ＴＲＰ（サーモプラスチックラバー）に限定されるものではなく、それ以外のラバーおよびシリコーン樹脂等の弾性材料で形成されてもよい。また、仮に、ケース１２を金属材料、木質材料、硬質樹脂材料等の剛性を有する材料で形成したとしても、当該ケース１２の外表面（露出面）に弾性材料からなるシート状物または布生地等を巻回するように構成し、把持部１６を形成するようにしてもよい。
【００２３】
次に、このケース１２内に組み付けられる主たる部材およびその配置について、たとえば図３、図４、図５および図６を参照しながら、以下、説明する。
このケース１２には、たとえば図３および図５に示すように、ケース１２内の軸方向の一方側に、たとえば円筒状の支持部材２０が配設される。この支持部材２０は、その外周面に、鍔部となる突縁部２２を有し、ケース１２内の軸方向の一方側に組み付けられる。この突縁部２２は、支持部材２０の半径方向に延び設けられ、たとえば円環状に形成されている。支持部材２０には、たとえば断面円形の案内ロッド２４が挿嵌される。
【００２４】
案内ロッド２４は、ケース１２の軸方向に沿って移動自在（変位自在）となり、案内ロッド２４の軸方向の一端側は、支持部材２０により支持される。案内ロッド２４の軸方向の一端部には、たとえばアイで形成された取付部２６が形成されている。この取付部２６は、図１および図５に示すように、ケース１２の軸方向の一端側からケースの外方に露出し、直接または間接にバッグ（図１〜図３では、図示せず。）に取り付けられるものとなっている。この場合、ケース１２は、その軸方向の一端側に、取付部２６の根元部側、つまり、案内ロッド２４の軸方向の一端部をケース１２から露出させるために、挿通孔２７を有している。
また、案内ロッド２４の軸方向の他端部には、たとえば図５に示すように、所定の長さをもって雄ねじ面２８が形成されている。この雄ねじ面２８には、後述する締結部材３６の雌ねじ面３８と螺合されるものとなっている。案内ロッド２４には、たとえばアイ付きの長ボルトが用いられてもよい。
この実施の形態に係るバッグの緩衝具１０では、案内ロッド２４の取付部２６が、バッグ本体と、ハンドルおよび／またはショルダーベルトとの間で、ハンドルおよび／またはショルダーベルト側に、直接または間接に取り付けられる。
【００２５】
さらに、案内ロッド２４の周囲には、たとえば図３および図５に示すように、コイル中心線の長さ方向に圧縮荷重を受けるコイルばねとして、たとえば円筒状の圧縮コイルばね３０が配置される。圧縮コイルばね３０は、案内ロッド２４の軸方向に沿って配置される。案内ロッド２４の軸方向の他端側には、押圧部３２が着脱自在に取り付けられる。押圧部３２は、たとえば図６に示すように、ケース１２および案内ロッド２４が互いに離れる方向に相対的に変位したときに、圧縮コイルばね３０を上記した支持部材２０の側に圧縮するものである。
【００２６】
この押圧部３２は、たとえば円環状のリング部材３４を含む。リング部材３４は、たとえばワッシャで形成されている。リング部材３４は、図３および図５に示すように、圧縮コイルばね３０の長さ方向の一端部に対向して、案内ロッド２４の軸方向の他端部に着脱自在に配置される。また、押圧部３２は、案内ロッド２４の軸方向の他端部に締結される締結部材３６を含む。締結部材３６は、その内周面に、たとえば雌ねじ面３８が形成されている。締結部材３６は、案内ロッド２４の軸方向の他端部に締結される。締結部材３６は、たとえばナットで形成されている。締結部材３６は、案内ロッド２４の雄ねじ面２８に、着脱自在に締結される。この締結部材３６は、ケース１２と案内ロッド２４とが、互いに離れる方向に相対的に移動したときに、リング部材３４を介して圧縮コイルばね３０を圧縮するものである。このバッグの緩衝具１０では、たとえば図６に示すように、上記した支持部材２０が、案内ロッド２４の軸方向でみて、圧縮コイルばね３０の圧縮方向に配置されている。
【００２７】
一方、ケース１２の軸方向の他方側には、連結部４０が配設される。連結部４０は、咬合部４２により支持されるようにケース１２に組み付けられ、バッグ（図１〜図５では、図示せず。）に直接または間接に取り付けられる。連結部４０としては、Ｄカン、茄子カン、丸カン、角カン等の連結金具が適宜用いられ得る。
この実施の形態のバッグの緩衝具１０では、連結部４０が、バッグ本体と、ハンドルおよび／またはショルダーベルトとの間で、前記バッグ本体側に、直接または間接に取り付けられる。
【００２８】
咬合部４２は、図２，図３および図４に示すように、ケース１２内の軸方向の他端側で、ケース１２の軸中心線と直交する方向に配設されるたとえば２列の咬合列４４，４６を含む。２列の咬合列４４，４６は、ケース１２内の軸方向に間隔を隔てて配列される。２列の咬合列４４，４６は、それぞれ、複数の咬合凹凸部４８が互いに咬合して形成されている。
この場合、２列の咬合列４４，４６の内、ケース１２内の軸方向の他端側に最も近い位置に配置される咬合列４４は、外側咬合列として形成される。それで、この咬合列４４を便宜上、外側咬合列４４と称する。この外側咬合列４４の近傍で、且つ、ケース１２の軸方向にみて、ケース１２の内側寄りの位置には、上記した連結部４０が係着される係着部５０が配設されている。連結部４０は、係着部５０に係着されると共に、外側咬合列４４により支持されるものとなっている。
【００２９】
一方、ケース１２は、たとえば図３および図４に示すように、たとえば断面略半円形で同一形状の２つの半体１２Ａ，１２Ｂを含む。２つの半体１２Ａ，１２Ｂは、開放された側同士が突き合わされて、超音波溶着等の適宜な方法により溶着され、一体的に接合されるものである。それにより、２つの半体１２Ａ，１２Ｂは、略円筒状のケース１２として形成される。２つの半体１２Ａ，１２Ｂは、図４（Ａ），（Ｂ）に示すように、それぞれ、平面視矩形で断面半円形の半体収納部５２Ａ，５２Ｂを含み、２つの半体１２Ａ，１２Ｂが一体化されたときに、ケース１２は、その内側に、半体収納部５２Ａ，５２Ｂによって、略円柱状の収納部５２を有するものとなる。
【００３０】
そこで、上記した主たる部材が組み付けられるケース１２の内部構造について、たとえば図３，図４および図５等を参照しながら、以下、説明する。
ケース１２の２つの半体１２Ａ，１２Ｂには、それぞれ、ケース１２の軸方向の中間部の一方側から他方側にかけて、たとえば断面略半円形で平面視略矩形の１つの半体収納部５２Ａ，５２Ｂが具備される。２つの半体収納部５２Ａ，５２Ｂには、それぞれ、案内ロッド２４の軸方向の他端から中間部に至る部位５４と、支持部材２０の軸方向の一端から中間部に至る部位５６と、圧縮コイルばね３０の長さ方向の一端から他端に至る部位５８と、押圧部３２のリング部材３４，締結部材３６とが収納される。
【００３１】
また、ケース１２の２つの半体１２Ａ，１２Ｂには、それぞれ、支持部材２０の少なくとも軸方向の中間部が嵌合される嵌合凹部６０と、支持部材２０の突縁部２２が係止される係止凹部６２とを具備している。嵌合凹部６０は、支持部材２０の軸中心線に沿って分割した断面形状に対応して、断面略半円形に形成されている。同様に、係止凹部６２は、突縁部２２の軸中心線に沿って分割した断面形状に対応して、断面略半円形に形成されている。
さらに、収納部５２と嵌合凹部６０と係止凹部６２とは、連通されている。
圧縮コイルばね３０は、ケース１２の軸方向にみて、押圧部３２のリング部材３４の一方主面と、収納部５２および前記嵌合凹部６０の境界部の面６４との間に、配置される。
【００３２】
この実施の形態に係るバッグの緩衝具１０では、例えば、一方の半体１２Ａの半体収納部５２Ａに、上記した主たる部材が組み付けられ、さらに、半体収納部５２Ｂを具備する他方の半体１２Ｂが、一方の半体１２Ａの上に突き合わされて被せられる。その後、２つの半体１２Ａ，１２Ｂが超音波溶着等の適宜な方法により溶着され、一体的に接合されることによって、バッグの緩衝具１０が得られるものとなる。
【００３３】
図７は、図１（Ａ）および図１（Ｂ）に示す緩衝具の使用状態の一例を示す図であって、特に、この緩衝具をゴルフバッグに取り付けた状態の一例を示す斜視図である。図８は、図７に示すゴルフバッグを肩に掛けて持ち運ぶときの状態の一例を示す斜視図である。
上述したバッグの緩衝具１０は、たとえばゴルフバッグの適切な箇所に装着されて、当該ゴルフバッグを自立させた状態で所望する場所に配置することを支援する自立誘導具として用いることができる。そこで、このバッグの緩衝具１０が装着され得るゴルフバッグの一例について、たとえば図７を参照しながら、以下、説明する。図７は、図１〜図６で示したバッグの緩衝具１０をゴルフバッグ１００に取り付けた状態の一例を示す斜視図である。
ゴルフバッグ１００は、ゴルフバッグ本体１０２を含む。ゴルフバッグ本体１０２は、その高さ方向の上端部に口枠部１０４で補強された口部１０４Ａを有する。ゴルフバッグ本体１０２内には、口部１０４Ａを介して、多数のゴルフクラブ（図示せず）が収納される。また、ゴルフバッグ本体１０２には、当該ゴルフバッグ本体１０２を持ち運ぶ際に便利なように、ゴルフバッグ本体１０２の一側面に、ハンドル１０６が配設されている。ハンドル１０６は、たとえばプラスチック材料でＣ字状に形成され、ゴルフバッグ本体１０２の高さ方向の上部に配設される。この場合、ハンドル１０６は、その一端部が取着部材１０８を介して口枠部１０４に取着され、その他端部がゴルフバッグ本体１０２の一側面の高さ方向の上部に取着されている。
【００３４】
さらに、ゴルフバッグ本体１０２には、当該ゴルフバッグ本体１０２を肩に掛けて持ち運ぶときに便利なように、ショルダーベルト１１０が取着されている。このショルダーベルト１１０は、その長手方向の一端部が、適宜な連結部材を介して、ゴルフバッグ本体１０２の一側面の高さ方向の中間部に取着され、その長手方向の他端部が、上述したバッグの緩衝具１０と適宜な連結部材とを介して、取着部材１０８に取着されている。
すなわち、ショルダーベルト１１０の長手方向の一端部は、Ｄカン１１２、茄子カン１１４、Ｄカン１１６等の適宜な連結部材を介して、ゴルフバッグ本体１０２の一側面の高さ方向の中間部に設けられた取着部材１１８に、着脱自在に連結されている。また、ショルダーベルト１１０の長手方向の他端部は、Ｄカン１２０、茄子カン１２２等の適宜な連結部材を介して、バッグの緩衝具１０の取付部２６と連結されている。さらに、バッグの緩衝１０の連結部４０は、茄子カン１２３およびカラビナ１２４等の連結部材を介して、ゴルフバッグ本体１０２の取着部材１０８に設けられたＤカン１２６に、着脱自在に連結されている。
なお、前記した連結部材としては、Ｄカン、茄子カン以外にも、丸カン（リングカン）、角カン（手カン）、三角カン、Ｃカン、二重カン（二重リング）等のその他のカンを用いるようにしてもよく、また、カラビナ以外にも、スイベル、猿カン、回転カン、レバーカン、あるいは、ユニバーサルジョイント、ボールジョイント等、その他、適宜な連結部材が採用され得るものである。
【００３５】
図７に示すゴルフバッグ１００では、上述した構成を具備しているので、ショルダーベルト１１０の他端とゴルフバッグ１００の口部１０４Ａの近傍との間に、つまり、ショルダーベルト１１０の上端に、バッグの緩衝具１０を着脱自在に取着することができる。そのため、このゴルフバッグ１００では、バッグの緩衝具１０とショルダーベルト１１０とを、互いに近接した位置で、且つ、同一直線上に配置することが可能となって、例えば、ショルダーベルト１１０を肩に掛けた状態から、バッグの緩衝具１０の把持部１６を当該肩側の手で速やかに把持してゴルフバッグ１００を容易に自立させることができる。
【００３６】
図７に示すゴルフバッグ１００では、緩衝具１０の連結部４０と、ゴルフバッグ１００の口部１０４Ａの近傍とを、茄子カン１２３およびカラビナ１２４を介して、容易に連結させることができ、さらに、緩衝具１０の取付部２６と、ショルダーベルト１１０の他端とを、茄子カン１２２を介して、容易に連結させることが可能となっている。つまり、当該ゴルフバッグ１００では、特に、緩衝具１０の連結部４０および緩衝具１０の取付部２６を介して、ゴルフバッグ１００の口部１０４Ａの近傍と、ショルダーベルト１１０の他端との間に、バッグの緩衝具１０を簡単に着脱自在に取着することができるものとなっている。
【００３７】
図７に示すゴルフバッグ１００において、例えば、ショルダーベルト１１０を肩に掛けてゴルフバッグ１００を持ち運んでいる状態、つまり、図８に示すように、ゴルフバッグ本体１０２が床面ないし地面とほぼ平行ないし所定の傾きをもって横向きになっている状態から下に降ろす場合、使用者は、図９に示すように、肩からショルダーベルト１１０を外して、一方の手でハンドル１０６を把持するとともに、他方の手でバッグの緩衝具１０の把持部１６を把持することによって、緩衝具１０の把持部１６を力学的支点（回転中心）にして、ゴルフバッグ本体１０２の下端側を容易に床面ないし地面に自立させる方向に回転させることができる。このとき、ゴルフバッグ本体１０２を自立させる方向に回転させるときの支点（回転中心）となる緩衝具１０の把持部１６は、ゴルフバッグ本体１０２の高さ方向の中央よりも上側、つまり、ゴルフバッグ本体１０２の口枠部１０４の近傍に配置されるため、図１１に示すように、ゴルフバッグ本体１０２の下端部および支点Ｏ（緩衝具１０の把持部１６）間の距離Ｌが長くなり、回転モーメントの大きさが大きくなる。したがって、ゴルフバッグ本体１０２を容易に回転させて、床面や地面に素早く自立させることができる。
【００３８】
この場合、従来のゴルフバッグ（例えば、特許文献１参照。）のように、回転モーメントの力が付加されることにより、ゴルフバッグ１００の総重量が大きな荷重となって、瞬間的に、使用者に相当の負担が掛かることが危惧されるが、図７に示すゴルフフバッグ１００では、特に、バッグの緩衝具１０の把持部１６が圧縮コイルばね３０を有しているので、この圧縮コイルばね３０のばねの反力（弾性力）を利用した緩衝作用によって、瞬間的に使用者に掛かる動荷重（衝撃荷重および繰り返し荷重）を吸収して緩和させることができる。そのため、従来技術のように、この動荷重による使用者の手首、肘、肩、腰、膝等に掛かる負担を大幅に軽減させることができる。
したがって、図７に示すゴルフフバッグ１００によれば、使用者に負担をかけることなく、簡単に、ゴルフバッグ１００を所望の場所に自立させた状態で配置することが可能となっている。
【００３９】
発明者の実験によれば、図７に示すゴルフバッグ１００に荷重を掛けたときに、このバッグの緩衝具１０が取着されたゴルフバッグ１００では、緩衝具１０が取着されていない従来のゴルフバッグに比べて、圧縮コイルばね３０の緩衝作用によって、当該ゴルフバッグ１００に掛かる荷重（負荷）が、大幅に軽減されることがわかった。
この場合、ロードセルにより荷重を検出する荷重試験機に、所定の重量（９８Ｎおよび１９６Ｎ）の錘Ｗを取り付けた試料として、バッグの緩衝具１０をぶら下げ、静止状態より鉛直下方向に５００ｍｍ／秒の一定速度で３０ｍｍ移動させて振動させ、ロードセルに掛かる荷重値を測定した。この場合、比較試験のために、バッグの緩衝具１０を取り付けた場合と、当該緩衝具１０を取り付けていない場合について荷重値を測定した。
この試験には、図１２および図１３に示すように、インストロン社製のエレクトロダイナミック試験機Ｅ３０００を用いた。図１５および図１６に、「試験経過時間（推移時間）とロードセル検出荷重値」の関係を示したグラフを示す。図１５は、錘Ｗの重量が９８Ｎのときのグラフであり、図１６は、錘Ｗの重量が１９６Ｎのときのグラフである。
図１５に示すグラフで示されているように、錘Ｗの重量が９８Ｎの場合で、バッグの緩衝具１０を取り付けていない場合には、瞬間的に掛かる荷重が最大略６８０Ｎであるのに対して、緩衝具１０を取り付けた場合には、最大略４４０Ｎとなっていて、大幅に軽減されていることがわかる。同様に、図１６に示すグラフで示されているように、錘Ｗの重量が１９６Ｎの場合で、バッグの緩衝具１０を取り付けていない場合には、瞬間的に掛かる荷重が最大略１０１０Ｎであるのに対して、緩衝具１０を取り付けた場合には、最大略７１０Ｎとなっていて、大幅に軽減されていることがわかる。
【００４０】
したがって、図７に示すゴルフバッグ１００では、ハンドル１０６を把持した状態またはショルダーベルト１１０を肩に掛けた状態から、ゴルフバッグ本体１０２を自立させる場合、また、当該ゴルフバッグを自立させた状態から、その場で瞬時に、ショルダーベルト１１０を肩に掛けてゴルフバッグ１００を持ち上げる場合、あるいは、ハンドル１０６を把持してゴルフバッグ１００を持ち上げる場合、さらには、ショルダーベルト１１０を肩に掛けた状態で、階段やゴルフ場の起伏のある場所を歩行する場合、瞬間的に、使用者の手首、肩、腰、肘、膝等に掛かる大きな動荷重を、このバッグの緩衝具１０の圧縮コイルばね３０の緩衝作用によって緩和させ、使用者に掛かる負担を大幅に軽減させることが可能となっている。
【００４１】
図７に示すゴルフバッグ１００によれば、使用者は、上述したように、ハンドル１０６および緩衝具１０の協働作用により、ゴルフバッグ本体１０２を簡単に自立させることが可能となっているが、例えば、ショルダーベルト１１０を肩に掛けてゴルフバッグ１００を持ち運んでいる状態（例えば、図８参照。）から下に降ろす場合、使用者は、肩からショルダーベルト１１０を外して、一方の手でこの緩衝具１０の把持部１６を把持することによって、自立誘導具１０の把持部１６を力学的支点（回転中心）にして、ゴルフバッグ本体１０２の下端側を容易に床面ないし地面に自立させる方向に回転させるようにしてもよい（例えば、図８に示す状態から図１０に示す状態を参照。）。
【００４２】
また、図１〜図６で示したバッグの緩衝具をゴルフバッグに取り付ける場合、バッグの緩衝具１０をショルダーベルト１１０に連結させる取り付け方法（たとえば図７〜図１０に示す。）をとることなく、このバッグの緩衝具１０を、直接、口部１０４Ａまたは口部１０４Ａの近傍に着脱自在に取り付けるようにすることも可能である（図示せず）。バッグの緩衝具１０の連結部４０および取付部２６のどちらか一方を、たとえば図７に示すゴルフバッグ１００の口部１０４Ａまたは当該口部１０４Ａの近傍に着脱自在に取着することが可能となっているために、このバッグの緩衝具１０をゴルフバッグ１００の口部１０４Ａまたは当該口部１０４Ａの近傍に後付けすることが自在となり、しかも、後付けする箇所の選定における自由度を高いものとすることが可能となっている。
このゴルフバッグのハンドル１０６を把持した状態またはショルダーベルト１１０を肩に掛けた状態から、ゴルフバッグ本体１０２を自立させる場合、使用者は、上述した図７に示すゴルフバッグ１００のときと同様に、バッグの緩衝具１０の把持部１６を把持し、当該緩衝具１０を中心にして、ゴルフバッグ本体１０２を自立させる方向に回転させることによって、ゴルフバッグ１００を自立させることができる。
【００４３】
この場合、従来のゴルフバッグ（例えば、特許文献１参照。）のように、回転モーメントの力が付加されることにより、ゴルフバッグ１００の総重量が大きな荷重となって、瞬間的に、使用者に相当の負担が掛かることが危惧されるが、図７〜図１０に示すゴルフフバッグ１００のときと同様に、緩衝具１０の圧縮コイルばね３０の緩衝作用によって、瞬間的に使用者に掛かる動荷重を吸収して緩和させることができる。そのため、従来技術のように、この動荷重による使用者の手首、肘、肩、腰、膝等に掛かる負担を大幅に軽減させることができる。
【００４４】
上記した各ゴルフバッグ１００では、使用者が、ゴルフバッグ１００を持ち運んでいる状態から当該ゴルフバッグを自立させる場合、あるいは、ゴルフバッグ１００が立て置かれた状態から当該ゴルフバッグ１００を持ち上げるとき、その動作は、緩衝具１０の把持部１６を把持することにより、緩衝具１０の把持部１６を当該動作の基点とすることができる。この場合、緩衝具１０は、ゴルフバッグ１００の口部１０４Ａの近傍に着脱自在に取り付けられているため、前記した動作が行われる場合、ゴルフバッグ１００は、その口部１０４Ａが略上を向く態様となるように保持される。したがって、図７に示すゴルフバッグ１００によれば、従来のゴルフバッグ（例えば、特許文献１参照。）のように、多数のゴルフクラブ等が収納されたゴルフバッグを持ち上げたときに、ゴルフバッグの口部からゴルフクラブが不意に飛び出るようなこともない。
【００４５】
図１６は、本発明に係るバッグの緩衝具の実施の形態の他の例を示す図であって、特に、その内部構造を示す要部平面図である。図１７は、図１６に示す緩衝具において、荷重が作用したときの圧縮コイルばねの圧縮状態を示す要部平面図である。
このバッグの緩衝具１０では、たとえば図１〜図６に示すバッグの緩衝具１０と比べて、特に、ケース１２内に組み込まれるコイルばねの個数および組合せが相違している。すなわち、図１〜図６に示すバッグの緩衝具１０では、ケース１２内に１つの圧縮コイルばね３０が配置されたが、図１６，図１７に示すバッグの緩衝具１０では、１つの圧縮コイルばね３０に加えて、たとえば１つの円錐ばね６６が、案内ロッド２４の軸方向に縦並びに配置されている。この場合、案内ロッド２４の軸方向の中央部には、たとえば円環状の他のリング部材６８が着脱自在に配置され、案内ロッド２４の軸方向の他端部に配置されたリング部材３４と他のリング部材６８との間に、円錐ばね６６が配置されている。
【００４６】
このようにして、圧縮コイルばね３０と円錐ばね６６とが案内ロッド２４の軸方向に直列に配置されて組み合わされたこのバッグの緩衝具１０では、たとえば図７〜図１０に示すゴルフバッグ１００でいうと、緩衝具１０に掛かるゴルフバッグバッグ１００の荷重が、円錐ばね６６の緩衝作用を経て圧縮コイルばね３０の緩衝作用が働く。この場合、当該荷重により、先ず、円錐ばね６６のばねが圧縮していくと、コイル径の大きいほうから線間接触が始まり、それ以降、順次線間接触が進む。線間接触した部分はばね作用がなくなる。つまり、円錐ばね６６は、線間接触が進むにつれてばねが硬くなるという非線形ばね特性を有する。そして、次に、円錐ばね６６の緩衝作用に引き続いて、圧縮コイルばね３０の緩衝作用が働くので、使用者に掛かる負担をスムーズに緩和していくことができる。また、円錐ばね６６は、圧縮時コイルの密着高さを低くすることができるため、スペース的に、ケース１２の軸方向の長さをより一層小さくすることが可能となる。
そのため、図１６，図１７に示すバッグの緩衝具１０によれば、荷重の大きさが異なる多種のバッグに対応することが可能となっている。
【００４７】
図１８は、本発明に係るバッグの緩衝具の実施の形態のさらに他の例を示す要部分解斜視図である。このバッグの緩衝具１０では、たとえば図１〜図６に示すバッグの緩衝具１０と比べて、特に、案内ロッド２４の軸方向の一端部に配設される取付部が相違している。すなわち、図１〜図６に示すバッグの緩衝具１０では、取付部２６がアイで形成されたが、図１８に示すバッグの緩衝具１０では、取付部２６として、たとえば二重リング７０が用いられている。この場合、案内ロッド２４は、その軸方向の一端部に長孔７２を有し、二重リング７０は長孔７２に係着される。
【００４８】
図１９は、図１（Ａ）および図１（Ｂ）に示す緩衝具の使用状態の他の例を示す図であって、特に、この緩衝具をたとえばビジネスバッグに取り付けた状態の一例を示す斜視図である。
このビジネスバッグ２００は、バッグ本体２０２を含む。バッグ本体２０２の上部には、手提げ用のハンドル２０４が配設されている。また、バッグ本体２０２の長さ方向の両側には、それぞれ、Ｄカン等の連結具２０８が配設されている。さらに、バッグ本体２００には、ショルダーベルト２１０が着脱自在に取付可能となっている。ショルダーベルト２１０は、その両端部に丸カン等の連結具２１２を有し、当該連結具２１２には、茄子カン等の連結具２１４が取着されている。ショルダーベルト２１０は、その連結具２１４とバッグ本体２０２の連結具２０８とが係着されることにより、バッグ本体２０２に着脱自在に取り付けられる。この場合、本実施の形態に係るバッグの緩衝具１０は、その連結部４０がバッグ本体２０２の一方の連結具２０８に着脱自在に取り付けられ、取付部２６がショルダーベルト２１０の一端側の連結具２１４に着脱自在に取り付けられる。
【００４９】
図２０は、本発明に係るバッグの緩衝具の実施の形態のさらに他の例を示す図であって、図２０（Ａ）は正面図であり、図２０（Ｂ）は内部構造を示す要部平面図である。図２１は、図２０（Ａ）および図２０（Ｂ）に示すバッグの緩衝具の分解斜視図である。図２２は、図２０（Ａ）および図２０（Ｂ）に示すバッグの緩衝具の主として、案内ロッド、支持部材、圧縮コイルばね、押圧部（リング部材，締結部材）の配置を説明するための分解斜視図である。図２３は、図２０（Ａ），２０（Ｂ）および図２１に示す緩衝具において、荷重が作用したときの圧縮コイルばねの圧縮状態を示す要部平面図である。
このバッグの緩衝具１０は、たとえば図１〜図６に示すバッグの緩衝具１０と比べて、特に、ケース内に組み付けられる、支持部材、案内ロッド、圧縮コイルばね、押圧部の各部材の個数およびそれらの配置が相違している。図１〜図６に示すバッグの緩衝具１０では、１つのケース１２内に、それぞれ、単一の支持部材２０、案内ロッド２４、圧縮コイルばね３０、押圧部３２を組み込んだ構成としているのに対して、図２０〜図２３に示すバッグの緩衝具１０では、支持部材２０、案内ロッド、圧縮コイルばね、押圧部の各部材を横並びに配列した状態で１つのケース内に収納して、所謂、ツインタイプのコンパクトな構成としている点で相違している。
【００５０】
すなわち、図２０〜図２３に示すバッグの緩衝具１０では、特に、図２１に示すように、ケース１２が、間隔を隔てて横並びに配置されるたとえば２つの収納部７４，７６を含む。２つの収納部７４および７６は、それぞれ、半体収納部７４Ａ，７４Ｂおよび半体収納部７６Ａ，７６Ｂで構成されている。半体収納部７４Ａ，７４Ｂおよび半体収納部７６Ａ，７６Ｂは、それぞれ、収納部７４および７６が仕切部７７により仕切られて配設されている。また、ケース１２内の軸方向（長さ方向）には、ケース１２の幅方向に間隔を隔てて横並びに、たとえば筒状の２つの支持部材７８Ａ，７８Ｂが配設されている。２つの支持部材７８Ａ，７８Ｂの外周面には、それぞれ、突縁部８０Ａ，８０Ｂが形成されている。この２つの突縁部８０Ａ，８０Ｂは、支持部材連接部８２によって連接され、たとえば長円状に一体化された構造となっている。
【００５１】
また、２つの収納部７４，７６には、２つの案内ロッド８４Ａ，８４Ｂが組み付けられている。つまり、２つの案内ロッド８４Ａ，８４Ｂは、間隔を隔てて横並びに配置されている。この２つの案内ロッド８４Ａ，８４Ｂは、その軸方向の一端部が、たとえば略円弧状のロッド連接部８６によって連接されている。２つの案内ロッド８４Ａ，８４Ｂと、ロッド連接部８６とは、一体的に形成され、たとえば略Ｕ字形の案内ロッド８４を構成している。この案内ロッド８４のロッド連接部８６は、ケース１２の軸方向の一端側から露出するように、ケース１２に組み付けされるものとなっている。すなわち、ロッド連接部８６は、取付部としての機能も有するものとなっている。以下、このロッド連結部８６を便宜上「取付部」と称することもある。
【００５２】
この場合、たとえば図２１に示すように、半体収納部７４Ａ，７４Ｂおよび半体収納部７６Ａ，７６Ｂは、その軸方向（長さ方向）の一端部に、２つの案内ロッド８４Ａ，８４Ｂの軸方向の他端側のロッド連接部８６を露出させるために、たとえば断面半円状の挿通凹部８５Ａ，８５Ｂがそれぞれ配設されている。半体収納部７４Ａ，７４Ｂおよび半体収納部７６Ａ，７６Ｂが上下に突き合わされることにより、挿通凹部８５Ａ，８５Ｂは、２つの案内ロッド８４Ａ，８４Ｂの軸方向の他端側のロッド連接部８６を露出させるための挿通孔８７Ａ，８７Ｂとなる。
【００５３】
さらに、ケース１２内には、２つの案内ロッド８４Ａ，８４Ｂの軸方向に沿って、２つの案内ロッド８４Ａ，８４Ｂの周囲に、たとえば２つの圧縮コイルばね８８Ａ，８８Ｂが配置されている。また、ケース１２内には、２つの圧縮コイルばね８８Ａ，８８Ｂを２つの支持部材７８Ａ，７８Ｂ側に圧縮する２つの押圧部９０Ａ，９０Ｂが配置されている。２つの押圧部９０Ａ，９０Ｂは、２つのリング部材９２Ａ，９２Ｂと２つの締結部材９４Ａ，９４を有するものである。
【００５４】
また、このケース１２Ａ内およびケース１２Ｂ内の軸方向の他端側には、それぞれ、図２０（Ｂ）および図２１に示すように、ケース１２の軸中心線と直交する方向に配設されるたとえば２列の咬合列９６Ａ，９６Ｂを有する咬合部９６を含む。２列の咬合列９６Ａ，９６Ｂは、ケース１２Ａ内およびケース１２Ｂ内の軸方向に間隔を隔てて配列される。２列の咬合列９６Ａ，９６Ｂは、それぞれ、複数の咬合凹凸部９７Ａ，９７Ｂが互いに咬合して形成されている。この場合、２列の９６Ａ，９６Ｂの内、ケース１２Ａ内およびケース１２Ｂ内の軸方向の他端側に最も近い位置に配置される咬合列９６Ａは、外側咬合列として形成される。さらに、各外側咬合列９６Ａの近傍で、且つ、ケース１２Ａ，１２Ｂの軸方向にみて、ケース１２Ａ，１２Ｂの内側寄りの位置には、上記した連結部４０が係着される係着部９５Ａ，９５Ｂが配設されている。連結部４０は、係着部９５Ａ，９５Ｂに係着されると共に、外側咬合列９６Ａにより強固に支持されるものとなっている。
【００５５】
図２４は、図２０（Ａ），２０（Ｂ）および図２１に示す緩衝具の使用状態の他の例を示す図であって、図２４（Ａ）は、緩衝具をたとえばボストンバッグに取り付けた状態の一例を示す斜視図であり、図２４（Ｂ）は、緩衝具の斜視図である。
このボストンバッグ３００は、バッグ本体３０２を含む。バッグ本体３０２の上部には、手提げ用のハンドル３０４が配設されている。また、バッグ本体３０２の長さ方向の両側上部には、それぞれ、Ｄカン等の連結具３０８が配設されている。さらに、バッグ本体３０２には、ショルダーベルト３１０が着脱自在に取付可能となっている。ショルダーベルト３１０は、その両端部に茄子カン等の連結具３１２が取着されている。ショルダーベルト３１０は、その連結具３１２とバッグ本体３０２の連結具３０８とが係着されることにより、バッグ本体３０２に着脱自在に取り付けられる。この場合、本実施の形態に係るバッグの緩衝具１０は、その連結部４０がバッグ本体３０２の一方の連結具３０８に着脱自在に取り付けられ、取付部８６がショルダーベルト３１０の一端側の連結具３１２に着脱自在に取り付けられる。
【００５６】
図２５は、図２０（Ａ），２０（Ｂ）および図２１に示す緩衝具の使用状態のさらに他の例を示す図であって、図２５（Ａ）は、緩衝具をたとえば各種のショルダーバッグに取り付けた状態の一例を示す斜視図であり、図２５（Ｂ）は、緩衝具の斜視図である。
このショルダーバッグ４００は、バッグ本体４０２を含む。バッグ本体４０２の長さ方向の両側面部には、それぞれ、環状の止め布等の止め具４０４が配設されている。さらに、バッグ本体４０２には、ショルダーベルト４０６が着脱自在に取付可能となっている。ショルダーベルト４０６は、その両端部に茄子カン等の連結具４０８が取着されている。ショルダーベルト４０６は、その連結具４０８とバッグ本体４０２の止め具４０４とが係着されることにより、バッグ本体４０２に取り付けられている。この場合、本実施の形態に係るバッグの緩衝具１０は、その連結部４０がバッグ本体４０２の一方の止め具４０４に取り付けられ、取付部８６がショルダーベルト４０６の一端側の連結具４０８に着脱自在に取り付けられる。
【００５７】
本実施の形態に係るバッグの緩衝具１０では、例えば、上記した、図１９に示すビジネスバッグ２００、図２４に示すボストンバッグ３００および図２５に示すショルダーバッグ４００に用いられた場合、以下に示す共通の作用・効果を有するものとなっている。
すなわち、このバッグの緩衝具１０が適用されたバッグ（２００，３００，４００）において、ハンドル（２０４，３０４）および／またはショルダーベルト（２１０，３１０，４０６）を介してバッグ本体（２０２，３０２，４０２）を持ち運ぶ際に、当該緩衝具１０の取付部（２６，８６）を介して案内ロッド（２４,８４Ａ,８４Ｂ）に、および、連結部４０を介してケース１２にバッグの荷重が作用すると、ケース１２の軸方向にみて、ケース１２および案内ロッド（２４,８４Ａ,８４Ｂ）が互いに離れる方向に相対移動する。
【００５８】
それによって、押圧部（３２，９０Ａ，９０Ｂ）のリング部材（３４，９２Ａ，９２Ｂ）と、支持部材（２０，７８Ａ，７８Ｂ）とが、互いに近づくように移動し、圧縮コイルばね（３０，８８Ａ，８８Ｂ）は、支持部材（２０，７８Ａ，７８Ｂ）側と押圧部（３２，９０Ａ，９０Ｂ）との間で圧縮されて圧縮コイルばね（３０，８８Ａ，８８Ｂ）のばね反力を生じる。このとき、バッグ（２００，３００，４００）の動荷重による使用者の手首、腕、肘、肩、背中、腰、膝等への負担は、圧縮コイルばね（３０，８８Ａ，８８Ｂ）の圧縮によるばね反力によって吸収され、緩和・軽減される。
【００５９】
バッグ（２００，３００，４００）は、圧縮コイルばね（３０，８８Ａ，８８Ｂ）の圧縮に伴うばね反力に抗して動作するので、持ち運び動作が終了して、バッグ（２００，３００，４００）のハンドル（２０４，３０４）および／またはショルダーベルト（２１０，３１０，４０６）に掛かっていた荷重が取り除かれると、ケース１２および案内ロッド（２４,８４Ａ,８４Ｂ）が互いに近づく方向に相対移動して初期状態に戻る。つまり、バッグ（２００，３００，４００）は、ハンドル（２０４，３０４）および／またはショルダーベルト（２１０，３１０，４０６）を介して、バッグ（２００，３００，４００）を持ち運ぶ前の静止状態に戻る。
【００６０】
案内ロッド（２４,８４Ａ,８４Ｂ）は、支持部材（２０，７８Ａ，７８Ｂ）の内周面に沿って案内され、スムーズにケース１２の軸方向に安定して変位するため、案内ロッド（２４,８４Ａ,８４Ｂ）の軸心に対する横振れおよび振動が生じ難いものとなっている。さらに、圧縮コイルばね（３０，８８Ａ，８８Ｂ）は、支持部材（２０，７８Ａ，７８Ｂ）の外周面に沿って圧縮するため、圧縮コイルばね（３０，８８Ａ，８８Ｂ）のコイル中心線に対する横振れおよび振動が生じ難いものとなり、その結果、圧縮コイルばね（３０，８８Ａ，８８Ｂ）が案内ロッド（２４,８４Ａ,８４Ｂ）に当接して擦れることを防止し、また、圧縮コイルばね（３０，８８Ａ，８８Ｂ）が圧縮されたときの座屈も防止することが可能となり、圧縮コイルばね（３０，８８Ａ，８８Ｂ）を保護するものとなっている。
【００６１】
すなわち、支持部材（２０，７８Ａ，７８Ｂ）は、案内ロッド（２４,８４Ａ,８４Ｂ）および圧縮コイルばね（３０，８８Ａ，８８Ｂ）の横振れおよび振動を規制して、当該案内ロッド（２４,８４Ａ,８４Ｂ）および圧縮コイルばね（３０，８８Ａ，８８Ｂ）を保護する機能を有するものとなっている。また、圧縮コイルばね（３０，８８Ａ，８８Ｂ）の圧縮による当該圧縮コイルばね（３０，８８Ａ，８８Ｂ）と案内ロッド（２４,８４Ａ,８４Ｂ）との摩擦抵抗も少なくなるため、圧縮コイルばね（３０，８８Ａ，８８Ｂ）は、円滑に圧縮されるものとなっている。
【００６２】
一方、この緩衝具１０の連結部４０は、咬合部（４２，９６）によって支持されるように、ケース１２の軸方向の他方側に組み付けられているので、強固に組み付けられ、ケース１２から抜け難いものとなっている。そのため、ハンドル（２０４，３０４）および／またはショルダーベルト（２１０，３１０，４０６）を介してバッグ（２００，３００，４００）を持ち運ぶ際に、当該緩衝具１０の案内ロッド（２４,８４Ａ,８４Ｂ）および連結部４０にバッグ（２００，３００，４００）の荷重が作用した場合でも、この連結部４０はバッグ本体（２０２，３０２，４０２）および／またはショルダーベルト（２１０，３１０，４０６）から外れ難いものとなっている。
【００６３】
また、図２４に示すボストンバッグ３００、および、図２５に示すショルダーバッグ４００に適用されるバッグの緩衝具１０では、特に、案内ロッド８４Ａ,８４Ｂ、圧縮コイルばね８８Ａ，８８Ｂ、押圧部９０Ａ，９０Ｂの各部材を横並びに配列した状態で１つのケース１２内に収納した構造となっているため、所謂、ツインタイプのコンパクトな構造とすることができる。この場合、所定の長さを有する単一の圧縮コイルばねで得られる緩衝機能を、当該単一の圧縮コイルばねの長さの半分の長さを有する一対の２つのコイルばねと代替しても、当初の設定した緩衝機能を維持することができる。
【００６４】
一方で、たとえば図７〜図１０に示すゴルフバッグ１００のように大形で比較的重量のあるバッグでは、有効長の長い圧縮コイルばね３０を採用することによりケース１２の長さが長くなってもあまり不都合は感じられないが、例えば、図１９に示すビジネスバック２００、図２４に示すボストンバッグ３００および図２５に示すショルダーバッグ４００等のように中形，小形で比較的重量も小さいバッグでは、必要以上の緩衝機能を得るために、ケースの長さが長くなることは、不具合を生じるものとなり、美観の点においても優れたものではない。したがって、ツインタイプのコンパクトな構成とする、たとえば図２０〜図２３に示すバッグの緩衝具１０は、手提げタイプ、肩掛けタイプ、背負いタイプおよびそれらを２つ以上兼用するタイプの小形，中形のバッグのハンドルおよび／またはショルダーベルトに適用されて好適なものとなっている。
【００６５】
また、本実施の形態に係るバッグの緩衝具１０は、上述したいずれのバッグ（ゴルフバック１００，ビジネスバッグ２００，ボストンバッグ３００およびショルダーバッグ４００）のいずれにおいても、ケース１２および案内ロッド（２４,８４Ａ,８４Ｂ）が互いに離れる方向に相対的に移動（変位）したとき、支持部材（２０，７８Ａ，７８Ｂ）は、その突縁部（２２，８０Ａ，８０Ｂ）がケース１２の係止凹部６２に係止される。すなわち、支持部材（２０，７８Ａ，７８Ｂ）は、このケース１２および案内ロッド（２４,８４Ａ,８４Ｂ）の相対移動に連動して移動することが規制され、ケース１２内に安定して位置決めされるものとなっている。
【００６６】
さらに、圧縮コイルばね（３０，８８Ａ，８８Ｂ）は、その長さ方向の一端部がリング部材（３４，９２Ａ，９２Ｂ）の面に当接され、その長さ方向の他端部が当該圧縮コイルばね（３０，８８Ａ，８８Ｂ）のコイル中心線の長さ方向にみて、収納部（５２，７４，７６）と嵌合凹部６０との境界部６４の面（境界面）に当接される。
すなわち、圧縮コイルばね（３０，８８Ａ，８８Ｂ）の長さ方向の両側を面で安定して支持することが可能となるため、圧縮コイルばね（３０，８８Ａ，８８Ｂ）を安定して案内ロッド（２４,８４Ａ,８４Ｂ）の周囲に間隔を隔てて正確に位置決めして配置することができる。
【００６７】
また、案内ロッド（２４,８４Ａ,８４Ｂ）は、当該案内ロッド（２４,８４Ａ,８４Ｂ）の軸方向の一端部に、ケース１２の軸方向の一端側から露出する取付部（２６，８６）を具備しているので、バッグ（２００，３００，４００）のバッグ本体（２０２，３０２，４０２）と、ショルダーベルト（２１０，３１０，４０６）および／またはハンドル（２０４，３０４）との間に、当該取付部（２６，８６）を直接または間接に取り付けることができる。さらに、連結部４０は、ケース１２の軸方向の他方側に、ケース１２の外方に露出する連結部４０を具備しているので、バッグ（２００，３００，４００）のバッグ本体（２０２，３０２，４０２）と、ショルダーベルト（２１０，３１０，４０６）および／またはハンドル（２０４，３０４）との間に、当該連結部４０を直接または間接に取り付けることができる。
【００６８】
また、ケース１２の軸方向の他端側は、咬合列（４４，４６，９６Ａ，９６Ｂ）において、互いに咬合する複数の咬合凹凸部（４８，９７Ａ，９７Ｂ）の密接による摩擦抵抗により、強固な構造を有するものとなっている。また、連結部４０は、係着部（５０，９５Ａ，９５Ｂ）により係着され、しかも、強固な咬合構造を有した咬合列（４４，４６，９６Ａ，９６Ｂ）の１つである外側咬合列（４４，９６Ａ）によって支持されているため、より一層強固にケース１２に安定して保持されるものとなっている。
そのため、このバッグの緩衝具１０に大きな荷重が作用したとしても、不用意に連結部４０がケース１２から外れたり、それによって、ケース１２の破損を防止することが可能となる。
【００６９】
さらに、本実施の形態に係るバッグの緩衝具１０は、当該緩衝具１０を製造する際に、案内ロッド（２４,８４Ａ,８４Ｂ）、支持部材（２０，７８Ａ，７８Ｂ）、圧縮コイルばね（３０，８８Ａ，８８Ｂ）、押圧部（３２，９０Ａ，９０Ｂ）のリング部材（３４，９２Ａ，９２Ｂ）および締結部材（３６，９４Ａ，９４Ｂ）、連結部４０の各部材を容易にケース１２内に組み付けることができ、２つの半体（１２Ａ，１２Ｂ）を突き合わせて超音波溶着等の方法により接合すれば、２つの半体（１２Ａ，１２Ｂ）を密封された状態で強固に一体化することができる。そのため、ケース１２に組み付けられる各部材の信頼性の向上を図ることができる。
【００７０】
なお、図１〜図６に示されたバッグの緩衝具１０では、支持部材２０および突縁部２２が、それぞれ、ケース１２の半体１２Ａ，１２Ｂの収納部５２Ａ，５２Ｂの嵌合凹部６０および係止凹部６２に組み付けられる構造を有するものであったが、当該支持部材２０および突縁部２２は、支持部材２０および突縁部２２の半体、この場合、支持部材２０の軸中心線に沿って、支持部材２０および突縁部２２を分割した略同一形状の２つの半体を、ケースの半体１２Ａ，１２Ｂの収納部５２Ａ，５２Ｂ内に、一体的に形成した構造のものであってもよい。
同様に、図２０〜図２３に示されたバッグの緩衝具１０においても、支持部材７８Ａ，７８Ｂは、支持部材７８Ａ，７８Ｂの軸中心線に沿って、支持部材７８Ａ，７８Ｂおよび突縁部８０Ａ，８０Ｂを分割した略同一形状の２つの半体を、半体収納部７４Ａ，７４Ｂ，７６Ａ，７６Ｂ内に、一体的に形成した構造のものであってもよい。
【００７１】
また、図１〜図６に示されたバッグの緩衝具１０では、押圧部３２のリング部材３４が締結部材３６とともに、案内ロッド２４の軸方向の他端側に着脱自在に取り付けられる構成を有するものであったが、例えば、リング部材３４を案内ロッド２４の軸方向の一端部に一体的に形成し、締結部材３６を不要とすることも可能である。
【００７２】
さらに、上記した各実施の形態に係るバッグの緩衝具１０の使用状態において、ショルダーベルト（１１０，２１０，３１０，４０６）に当該緩衝具１０を取り付ける場合、案内ロッド（２４,８４Ａ,８４Ｂ）の取付部（２６，８６）は、ショルダーベルト（１１０，２１０，３１０，４０６）の長さ方向の一端部および／または他端部に、直接または間接に取り付けられ、連結部４０は、バッグ（１００，２００，３００，４００）のバッグ本体（１０２，２０２，３０２，４０２）に、直接または間接に取り付けられているが、それとは反対に、連結部４０をショルダーベルト（１１０，２１０，３１０，４０６）の長さ方向の一端部および／または他端部に直接または間接に取り付け、案内ロッド（２４,８４Ａ,８４Ｂ）の取付部（２６，８６）をバッグ（１００，２００，３００，４００）のバッグ本体（１０２，２０２，３０２，４０２）に直接または間接に取り付けるようにすることも可能である。
【符号の説明】
【００７３】
１０  バッグの緩衝具
１２  ケース
１２Ａ，１２Ｂ  ケースの半体
１４  ケースの胴部
１６  被覆部（把持部）
１８  突起部
２０  支持部材
２２  突縁部
２４  案内ロッド
２６  取付部
２７  挿通孔
２８  雄ねじ面
３０  圧縮コイルばね
３２  押圧部
３４  リング部材
３６  締結部材
３８  雌ねじ面
４０  連結部
４２  咬合部
４４  咬合列（外側咬合列）
４６  咬合列
４８  咬合凹凸部
５０  係着部
５２  収納部
５２Ａ，５２Ｂ  半体収納部
５４  案内ロッドの軸方向の他端から中間部に至る部位
５６  支持部材の軸方向の一端から中間部に至る部位
５８  圧縮コイルばねの長さ方向の一端から他端に至る部位
６０  嵌合凹部
６２  係止凹部
６４  収納部と嵌合凹部との境界部の面
６６  円錐ばね
６８  他のリング部材
７０  二重リング
７２  長孔
７４，７６  収納部
７４Ａ，７４Ｂ，７６Ａ，７６Ｂ  半体収納部
７７  仕切部
７８Ａ，７８Ｂ  支持部材
８０Ａ，８０Ｂ  突縁部
８２  支持部材連接部
８４Ａ，８４Ｂ  案内ロッド
８５Ａ，８５Ｂ  挿通凹部
８６  案内ロッド連接部
８７Ａ，８７Ｂ  挿通孔
８８Ａ，８８Ｂ  圧縮コイルばね
９０Ａ，９０Ｂ  押圧部
９２Ａ，９２Ｂ  リング部材
９４Ａ，９４Ｂ  締結部材
９５Ａ，９５Ｂ  係着部
９６  咬合部
９６Ａ，９６Ｂ  咬合列（９６Ａ：外側咬合列）
９７Ａ，９７Ｂ  咬合凹凸部
１００  ゴルフバッグ
１０２  ゴルフバッグ本体
１０４  口枠部
１０４Ａ  口部
１０６  ハンドル
１０８，１１８  取着部材
１１０  ショルダーベルト
１１２，１１６，１２０，１２６  Ｄカン
１１４，１２２  茄子カン
１２４  カラビナ
２００  ビジネスバッグ
２０２  バッグ本体
２０４  ハンドル
２０８，２１２，２１４  連結具
２１０  ショルダーベルト
３００  ボストンバッグ
３０２  バッグ本体
３０４  ハンドル
３０８，３１２  連結具
３１０  ショルダーベルト
４００  ショルダーバッグ
４０２  バッグ本体
４０４  止め具
４０６  ショルダーベルト
４０８  連結具
【図１】
2017022036.tif 000003
【図２】
2017022036.tif 000004
【図３】
2017022036.tif 000005
【図４】
2017022036.tif 000006
【図５】
2017022036.tif 000007
【図６】
2017022036.tif 000008
【図７】
2017022036.tif 000009
【図８】
2017022036.tif 000010
【図９】
2017022036.tif 000011
【図１０】
2017022036.tif 000012
【図１１】
2017022036.tif 000013
【図１２】
2017022036.tif 000014
【図１３】
2017022036.tif 000015
【図１４】
2017022036.tif 000016
【図１５】
2017022036.tif 000017
【図１６】
2017022036.tif 000018
【図１７】
2017022036.tif 000019
【図１８】
2017022036.tif 000020
【図１９】
2017022036.tif 000021
【図２０】
2017022036.tif 000022
【図２１】
2017022036.tif 000023
【図２２】
2017022036.tif 000024
【図２３】
2017022036.tif 000025
【図２４】
2017022036.tif 000026
【図２５】
2017022036.tif 000027
【図２６】
2017022036.tif 000028
【国際調査報告】
2017022036.tif 000029
2017022036.tif 000030
2017022036.tif 000031
2017022036.tif 000032